(57)【要約】      （修正有）【課題】地震の揺れに追従して、損傷するのを効率よく防止することができる床用目地装置を提供する。【解決手段】一方の目地部側の凹部４と、他方の床躯体に後端部が前後方向にスライド移動可能に支持され先端部が凹部４のほぼ中央部に位置するスライド移動可能な支持体と、この支持体７に支持されるように後端部が支持体７の後端部に取付けられた他方の目地プレート１０と、この他方の目地プレート１０の先端部との間に隙間なく先端部が支持体に支持され後端部が凹部の反目地部側の一方の床躯体に取付けられた一方の目地プレート１４と、目地部２が狭くなるように揺れ動いた場合に他方の目地プレート１０あるいは一方の目地プレート１４が他方側の目地プレートの下部へ侵入できる傾斜面に形成するとともに下部へ侵入される目地プレートを上下方向に移動できるように取付部に介装した取付機構とで床用目地装置１を構成している。【選択図】  図２
2006161386.tif 000002
【特許請求の範囲】
【請求項１】
目地部を介して設けられた左右の床躯体の一方の目地部側床躯体の上面に形成された凹部と、前記左右の床躯体の他方の目地部側床躯体に後端部が前後方向にスライド移動可能に支持され、先端部が前記凹部のほぼ中央部に位置する、該凹部をスライド移動可能な支持体と、この支持体に支持されるように後端部が該支持体の後端部に取付けられた他方の目地プレートと、この他方の目地プレートの先端部との間に隙間なく、あるいはわずかな隙間を介して先端部が前記支持体に支持され、後端部が前記凹部の反目地部側の一方の床躯体に取付けられた一方の目地プレートと、前記目地部が狭くなるように前記左右の床躯体が揺れ動いた場合に、前記他方の目地プレートあるいは一方の目地プレートが他方側の目地プレートの下部へ侵入できる傾斜面に形成するとともに、下部へ侵入される目地プレートを上下方向に移動できるように取付部に介装した取付機構とを備えることを特徴とする床用目地装置。
【請求項２】
目地部を介して設けられた左右の床躯体の一方の目地部側床躯体の上面に形成された凹部と、前記左右の床躯体の他方の目地部側床躯体に後端部が前後方向にスライド移動可能に支持され、先端部が前記凹部のほぼ中央部に位置する、該凹部をローラを介してスライド移動可能な上面にスベリプレートが設けられた支持体と、この支持体に支持されるように後端部が該支持体の後端部に取付けられた他方の目地プレートと、この他方の目地プレートの先端部との間に隙間なく、あるいはわずかな隙間を介して先端部が前記支持体に支持され、後端部が前記凹部の反目地部側の一方の床躯体に取付けられた一方の目地プレートと、前記目地部が狭くなるように前記左右の床躯体が揺れ動いた場合に、前記他方の目地プレートあるいは一方の目地プレートが他方側の目地プレートの下部へ侵入できる傾斜面に形成するとともに、下部へ侵入される目地プレートを上下方向へ移動できるように取付部に介装された取付機構とを備えることを特徴とする床用目地装置。
【請求項３】
目地部を介して設けられた左右の床躯体の一方の目地部側床躯体の上面に形成された目地部の幅寸法のほぼ２倍の幅寸法となる凹部と、前記左右の床躯体の他方の目地部側床躯体に後端部が前方向にローラを介してスライド移動可能に支持され、先端部が前記凹部のほぼ中央部に位置する、該凹部をローラを介してスライド移動可能な上面にスベリプレートが設けられた支持体と、この支持体に支持されるように後端部が該支持体の後端部に取付けられた他方の目地プレートと、この他方の目地プレートの先端部との間に隙間なく、あるいはわずかな隙間を介して先端部が前記支持体に支持され、後端部が前記凹部の反目地部側の一方の床躯体に取付けられた一方の目地プレートと、前記目地部が狭くなるように前記左右の床躯体が揺れ動いた場合に、前記他方の目地プレートあるいは一方の目地プレートが他方側の目地プレートの下部へ侵入できる傾斜面に形成するとともに、下部へ侵入される目地プレートを上下方向へ移動できるように取付部に介装された取付機構とを備えることを特徴とする床用目地装置。
【発明の詳細な説明】
【技術分野】
【０００１】
本発明は目地部を介して設けられた左右の床躯体間を覆う床用目地装置に関する。
【背景技術】
【０００２】
従来の床用目地装置は、目地部を介して建てられた左右の建物の目地部側の床面に、該目地部に開口するように形成された一対の凹部と、この一対の凹部のほぼ中央部に両端部が位置して前記目地部を覆う、該一対の凹部内をスライド移動可能な目地プレートと、この目地プレートの両端部の前記一対の凹部に位置している部位を覆うように、前記左右の建物の躯体に固定された一対のカバープレートと、この一対のカバープレート内の凹部に該一対のカバープレートに加わる荷重を支持することができる支持体に所定間隔で支持された、前記凹部に支持される複数対の下部支持ローラ、前記支持体に所定間隔で支持される前記一対のカバープレートを支持する複数個の上部支持ローラとからなる一対のカバープレート荷重支持具と、この一対のカバープレート荷重支持具を前記一対のカバープレート内の凹部のほぼ中央部に常時位置させる一対の中央維持具とからなる床用目地装置において、前記一対のカバープレート荷重支持具を３個の軸状の支持体と、この３個の支持体に所定間隔で取付けられた正三角形あるいは二等辺三角形状の角部となる部位に、該３個の支持体が挿入される軸挿入孔が形成された複数個の支持プレートと、前記３個の支持体に所定間隔で回転可能に取付けられた複数対あるいは複数個の下部支持ローラ、上部支持ローラとで構成されている。
【０００３】
このように構成された床用目地装置は、通常時には目地プレートの中央部と両端部との中間部分に一対のカバープレートの先端部が支持された状態となっているため、一対のカバープレートと目地プレートとの間に段差が生じるという欠点があった。また、目地プレートの中央部を目地部の中央部に位置させる中央維持具を用いているため、目地プレートが大きく、重い場合には、スムーズに目地プレートを移動させることができず、損傷しやすいという欠点があった。
【特許文献１】特許第３４４５２０８号
【発明の開示】
【発明が解決しようとする課題】
【０００４】
本発明は以上のような従来の欠点に鑑み、通常時には段差なく目地部を覆うことができるとともに、大きく、重い場合でも、スムーズに目地部が広くなったり狭くなったりする地震時の揺れ動きに追従して、損傷するのを効率よく防止することができる、安全に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の一方の目地部側床躯体の上面に形成された凹部と、前記左右の床躯体の他方の目地部側床躯体に後端部が前後方向にスライド移動可能に支持され、先端部が前記凹部のほぼ中央部に位置する、該凹部をスライド移動可能な支持体と、この支持体に支持されるように後端部が該支持体の後端部に取付けられた他方の目地プレートと、この他方の目地プレートの先端部との間に隙間なく、あるいはわずかな隙間を介して先端部が前記支持体に支持され、後端部が前記凹部の反目地部側の一方の床躯体に取付けられた一方の目地プレートと、前記目地部が狭くなるように前記左右の床躯体が揺れ動いた場合に、前記他方の目地プレートあるいは一方の目地プレートが他方側の目地プレートの下部へ侵入できる傾斜面に形成するとともに、下部へ侵入される目地プレートを上下方向に移動できるように取付部に介装した取付機構とで床用目地装置を構成している。
【発明の効果】
【０００７】
以下の説明から明らかなように、本発明にあっては次に列挙する効果が得られる。
【０００８】
（１）とで構成されているので、通常時には目地部を段差なく一方の目地プレートと他方の目地プレートとで覆うことができる。
したがって、安全に使用することができる。
【０００９】
（２）前記（１）によって、支持体が前後左右方向にスライド移動するので、左右の床躯体の前後左右方向の揺れ動きを吸収することができる。
【００１０】
（３）前記（１）によって、目地部が狭くなると支持体に支持されている一方の目地プレートあるいは他方の目地プレートの一方だけが上方へ移動させるため、大きな荷重でなく、スムーズに移動させることができる。
したがって、損傷なく、長期間使用することができる。
【００１１】
（４）前記（１）によって、構造が簡単であるので、容易に製造することができるとともに、容易に設置することができる。
【００１２】
（５）請求項２も前記（１）〜（４）と同様な効果が得られるとともに、スベリプレートによって、よりスムーズに一方の目地プレートと他方の目地プレートを移動させることができる。
【００１３】
（６）請求項３も前記（１）〜（５）と同様な効果が得られるとともに、目地部の幅寸法とほぼ同じ幅寸法の目地部が広くなったり、狭くなったりする揺れ動きを吸収することができる。
【発明を実施するための最良の形態】
【００１４】
以下、図面に示す本発明を実施するための最良の形態により、本発明を詳細に説明する。
【００１５】
図１ないし図１１に示す本発明を実施するための最良の第１の形態において、１は目地部２を介して設けられた左右の床躯体３、３間の床目地部２を覆う本発明の床用目地装置で、この床用目地装置１は前記左右の床躯体３、３の一方の目地部側床躯体３の上面に形成された、最適には前記目地部２の幅寸法Ｌのほぼ２倍の幅寸法の凹部４と、この凹部４の底面を必要に応じて覆うように固定された金属材製のカバー体５と、前記左右の床躯体３、３の他方の目地部側床躯体３にほぼ水平状態で固定されたレール６に後端部が前後方向にスライド移動可能に支持され、先端部が前記凹部４のほぼ中央部のカバー体５に位置する、該凹部４あるいはカバー体５をスライド移動可能な支持体７と、この支持体７に支持されるように後端部が、該支持体７の後端部に取付機構８を介して取付けられた先端部の上面が外方へ突出する傾斜面９に形成された他方の目地プレート１０と、この他方の目地プレート１０の先端部との間に隙間なく、あるいはわずかな隙間を介して該他方の目地プレート１０の先端部と面接触可能な傾斜面１１に形成された先端部が前記支持体７に支持され、後端部が前記凹部４の反目地部側の一方の床躯体３あるいは前記カバー体５の反目地部側端部に固定されたチャンネル状の支持金具１２の上端部に複数本の皿ビス等１３によって取付けられた一方の目地プレート１４とで構成されている。
【００１６】
前記支持体７は図４に示すように、角パイプ材で形成された枠体１５内に所定間隔で補強バー１６を固定した支持体本体１７と、この支持体本体１７の後端部の底面に固定された前記レール６内へ挿入される枕木１８と、前記支持体本体１７の先端部の底面に所定間隔で取付けられた複数個のローラ１９と、前記支持体本体１７の上面を覆うように複数本の皿ビス等２０で固定されたスベリプレート２１と、このスベリプレート２１の底面あるいは前記支持体本体１７に固定された、前記他方の目地プレート１０を該スベリプレート２１へ吸着固定されるマグネット２２とで構成されている。
【００１７】
前記レール６は図５に示すように、クランク状に形成されたレール本体２３と、このレール本体２３の下部の取付片２３ａに所定間隔で形成された他方の目地部側床躯体３に複数本のビス等２４によって固定されるビス等の挿入孔２５と、前記レール本体２３のレール部２３ｂに所定間隔で取付けられた複数個のローラ２６とで構成されている。
なお、複数個のローラ２６は前記枕木１８の底面に取付けてもよい。
【００１８】
前記取付機構８は図８に示すように、前記他方の目地プレート１０の後端部に所定間隔で形成された皿ビス等の挿入孔２７と、この皿ビス等の挿入孔２７と対応する部位の、前記スベリプレート２１に形成された透孔２８と、前記皿ビス等の挿入孔２７および透孔２８内へ挿入される皿ビス等２９と、この皿ビス等２９にコイルスプリング３０を介して前記他方の目地プレート１０、前記一方の目地プレート１４の厚さ寸法分とおなじ、あるいはそれよりはわずかに大きい寸法分だけ上方へ移動可能に螺合されたナット３１とで構成されている。
【００１９】
上記構成の床用目地装置１は通常時には図１ないし図３に示すように、一方の目地プレート１４と他方の目地プレート１０は段差のない状態で床目地部を覆った状態を保っている。
地震等によって目地部２が広くなるように左右の床躯体３、３が揺れ動いた場合には、図９に示すように支持体７の先端部が凹部４内のカバー体５上を目地部２側方向へスライド移動するとともに、一方の目地プレート１４の先端部が支持体７のスベリプレート２１上を先端部方向へスライド移動して、その揺れ動きを目地部の幅寸法がほぼ２倍に広がるところまで吸収することができる。
揺れ動きが停止すると、元の位置へ自動的に戻る。
【００２０】
目地部２が狭くなるように左右の床躯体３、３が揺れ動いた場合には、図１０に示すように支持体７の先端部が凹部４内のカバー体５上を反目地部方向へスライド移動するとともに、一方の目地プレート１４の先端部が他方の目地プレート１０の下部へ、該他方の目地プレート１０を取付機構８のコイルスプリング３０の付勢力に抗して上方へ押し上げながら浸入して、その揺れ動きをほぼ目地部２の幅寸法がなくなるところまで吸収することができる。
揺れ動きが停止すると、元の位置へ自動的に戻る。
【００２１】
左右の床躯体３、３が異なる前後方向に揺れ動いた場合には、図１１に示すように支持体７の後端部がレール６に沿って前後方向にスライド移動して、その揺れ動きを吸収する。
［発明を実施するための異なる形態］
【００２２】
次に、図１２ないし図２３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１２ないし図１４に示す本発明を実施するための第２の形態において、前記本発明を実施するための最良の第１の形態と主に異なる点は、他方の目地プレート１０Ａが一方の目地プレート１４Ａの下部へ侵入できるように、一方の目地プレート１４Ａを取付機構８を介して取付けるとともに、枕木１８の底面に所定間隔で複数個のローラ２６を取付けた支持体７Ａを用いた点で、このように構成した床用目地装置１Ａにしても、前記本発明を実施するための最良の第１の形態と同様な作用効果が得られる。
【００２４】
図１５ないし図１７に示す本発明を実施するための第３の形態において、前記本発明を実施するための第２の形態と主に異なる点は、浅皿状の支持体本体１７Ａと、この支持体本体１７Ａ内に充填されたモルタルあるいはコンクリート３２と、このモルタルあるいはコンクリート３２の上面に設けられたスベリプレート２１とを用いた支持体７Ｂと、この支持体７Ｂの枕木１８の底面と当接するレール部１８ｂにスベリ材３３を取付けた点で、このような支持体７Ｂを用いて構成した床用目地装置１Ｂにしても、前記本発明を実施するための第２の形態と同様な作用効果が得られる。
【００２５】
図１８ないし図２０に示す本発明を実施するための第４の形態において、前記本発明を実施するための第２の形態と主に異なる点は、左右の床躯体３、３の床面に敷設されるじゅうたんやカーペット等３４、３４と、同じじゅうたんやカーペット等３４、３４を敷設できるように一方の目地プレート１４Ｂと他方の目地プレート１０Ｂの先端部を除く部位に凹部３５、３５を形成した点で、このように構成した床用目地装置１Ｃにしても、前記本発明を実施するための第２の形態と同様な作用効果が得られる。
【００２６】
図２１ないし図２３に示す本発明を実施するための第５の形態において、前記本発明を実施するための第４の形態と主に異なる点は、一方の目地プレート１４Ｂを支持体７の先端部の凹部４ａのほぼ中央部で支持するフレーム３６に取付けられた下部へ下端部が突出する一対の下部支持ローラ３７、３７と、前記フレーム３６の上部へ上端部が突出する上部支持ローラ３８と、前記フレーム３６を凹部４ａのほぼ中央部へ位置させるために支持体７および支持金具１２に取付けられたスプリング３９、３９とからなる移動支承４０を設けた点で、このように構成した床用目地装置１Ｄにしても、前記本発明を実施するための第４の形態と同様な作用効果が得られる。
【００２７】
なお、本発明を実施するための各形態では支持体の先端部の底面に複数個のローラを取付けるものについて説明したが、本発明はこれに限らず、スベリ材をローラの代わりに使用してもよい。
また、支持体７、７Ａ、７Ｂの後端部を前後方向にスライド移動するものについて説明したが、本発明はこれに限らず、他方の目地部側床躯体に固定的に支持体の後端部を取付けてもよい。
【産業上の利用可能性】
【００２８】
本発明は床用目地装置を製造する産業で利用される。
【図面の簡単な説明】
【００２９】
【図１】本発明を実施するための最良の第１の形態の平面図。
【図２】図１の２−２線に沿う断面図。
【図３】図１の３−３線に沿う断面図。
【図４】本発明を実施するための最良の第１の形態の支持体の説明図。
【図５】本発明を実施するための最良の第１の形態のレールの説明図。
【図６】本発明を実施するための最良の第１の形態の一方の目地プレートの説明図。
【図７】本発明を実施するための最良の第１の形態の他方の目地プレートの説明図。
【図８】本発明を実施するための最良の第１の形態の取付機構の説明図。
【図９】本発明を実施するための最良の第１の形態の目地部が広くなった動作説明図。
【図１０】本発明を実施するための最良の第１の形態の目地部が狭くなった動作説明図。
【図１１】本発明を実施するための最良の第１の形態の異なる前後方向の動作説明図。
【図１２】本発明を実施するための第２の形態の平面図。
【図１３】図１２の１３−１３線に沿う断面図。
【図１４】本発明を実施するための第２の形態の目地部が狭くなった動作説明図。
【図１５】本発明を実施するための第３の形態の平面図。
【図１６】図１５の１６−１６線に沿う断面図。
【図１７】本発明を実施するための第３の形態の支持体の説明図。
【図１８】本発明を実施するための第４の形態の平面図。
【図１９】図１８の１９−１９線に沿う断面図。
【図２０】本発明を実施するための第４の形態の目地プレートの説明図。
【図２１】本発明を実施するための第５の形態の平面図。
【図２２】図２１の２２−２２線に沿う断面図。
【図２３】本発明を実施するための第５の形態の移動支承の説明図。
【符号の説明】
【００３０】
１、１Ａ、１Ｂ、１Ｃ、１Ｄ：床用目地装置、
２：目地部、                              ３：床躯体、
４：凹部、                          ５：カバー体、
６：レール、                              ７、７Ａ、７Ｂ：支持体、
８：取付機構、                      ９：傾斜面、
１０、１０Ａ、１０Ｂ：他方の目地プレート、
１１：傾斜面、                      １２：支持金具、
１３：皿ビス等、
１４、１４Ａ、１４Ｂ：一方の目地プレート、
１５：枠体、                              １６：補強バー、
１７、１７Ａ：支持体本体、          １８：枕木、
１９：ローラ、                      ２０：皿ビス等、
２１：スベリプレート、              ２２：マグネット、
２３：レール本体、                        ２４：ビス等、
２５：ビス挿入孔、                        ２６：ローラ、
２７：皿ビス等の挿入孔、                  ２８：透孔、
２９：皿ビス等、                    ３０：コイルスプリング、
３１：ナット、                      ３２：モルタルあるいはコンクリート、
３３：スベリ材、                    ３４：じゅうたんやカーペット、
３５：凹部、                              ３６：フレーム、
３７：下部支持ローラ、              ３８：上部支持ローラ、
３９：スプリング、                        ４０：移動支承。
【図１】
2006161386.tif 000003
【図２】
2006161386.tif 000004
【図３】
2006161386.tif 000005
【図４】
2006161386.tif 000006
【図５】
2006161386.tif 000007
【図６】
2006161386.tif 000008
【図７】
2006161386.tif 000009
【図８】
2006161386.tif 000010
【図９】
2006161386.tif 000011
【図１０】
2006161386.tif 000012
【図１１】
2006161386.tif 000013
【図１２】
2006161386.tif 000014
【図１３】
2006161386.tif 000015
【図１４】
2006161386.tif 000016
【図１５】
2006161386.tif 000017
【図１６】
2006161386.tif 000018
【図１７】
2006161386.tif 000019
【図１８】
2006161386.tif 000020
【図１９】
2006161386.tif 000021
【図２０】
2006161386.tif 000022
【図２１】
2006161386.tif 000023
【図２２】
2006161386.tif 000024
【図２３】
2006161386.tif 000025